(57)【要約】【課題】本発明は、外部記憶部から内部記憶部へ画像データを転送して表示する画像表示装置であって、ＣＰＵ、内部記憶部への負担を抑制し、かつ使用者のストレス増大を抑制した画像表示装置の提供を目的とする。【解決手段】本発明に係る画像表示装置は、表示部１２と、内部記憶部１３と、外部記憶部１５を接続可能なインターフェース１４と、入力部１０と、制御部１１と、を備え、外部記憶部１５には、少なくとも１つの画像データと、画像データを縮小した少なくとも１つのサムネイル用画像データとが記憶されており、制御部１１は、入力部１０への入力に基づいて、外部記憶部１５から内部記憶部１３に転送されているサムネイル用画像データを表示部１２に表示させるサムネイル表示モードと、サムネイル用画像データの縮小前の画像データを外部記憶部１５から内部記憶部１３に転送して表示部１２に表示させる全画面表示モードとを切り替える。【選択図】図１
2016099453.tif 000002
【特許請求の範囲】
【請求項１】
表示部と、
内部記憶部と、
外部記憶部を接続可能なインターフェースと、
入力部と、
制御部と、
を備え、
前記外部記憶部には、少なくとも１つの画像データと、前記画像データを縮小した少なくとも１つのサムネイル用画像データとが記憶されており、
前記制御部は、前記入力部への入力に基づいて、前記外部記憶部から前記内部記憶部に転送されている前記サムネイル用画像データを前記表示部に表示させるサムネイル表示モードと、前記サムネイル用画像データの縮小前の前記画像データを前記外部記憶部から前記内部記憶部に転送して前記表示部に表示させる全画面表示モードとを切り替える、
画像表示装置。
【請求項２】
前記制御部は、前記サムネイル表示モードにおいて、前記入力部への入力に基づいて前記サムネイル用画像データが選択されると、前記サムネイル表示モードを前記全画面表示モードに切り替えるとともに、選択された前記サムネイル用画像データの縮小前の前記画像データを含む少なくとも１つの前記画像データを前記外部記憶部から前記内部記憶部に転送して、前記画像データを表示部に表示させる、
請求項１に記載の画像表示装置。
【請求項３】
前記制御部は、前記内部記憶部の記憶容量および前記画像データの大きさに基づいて、前記外部記憶部から前記内部記憶部に一度に転送する前記画像データの個数を決定する、
請求項１または請求項２に記載の画像表示装置。
【請求項４】
前記制御部は、前記入力部にサムネイル表示モードを前記全画面表示モードに切り替える入力があったときに前記表示部の中央に表示されていた前記サムネイル用画像データを、選択された前記サムネイル用画像データとする、
請求項２に記載の画像表示装置。
【請求項５】
前記入力部は前記表示部に重ねて配置されたタッチパネルを含み、
前記制御部は前記表示部に、複数の前記サムネイル用画像データをスライドさせて順に表示させるスライドバーを表示させ、
前記制御部は、前記スライドバーがタッチされている間は前記サムネイル表示モードとし、
前記スライドバーへのタッチが解除されたときに、前記サムネイル表示モードから前記全画面表示モードへ切り替える、
請求項１から請求項４のいずれか一項に記載の画像表示装置。
【請求項６】
前記入力部は前記表示部に重ねて配置されたタッチパネルを含み、
前記制御部は前記表示部にボタンを表示させ、
前記制御部は前記ボタンへのタッチに応じて前記サムネイル表示モードと前記全画面表示モードとを切り替える、
請求項１から請求項４のいずれか一項に記載の画像表示装置。
【請求項７】
前記制御部は前記ボタンがタッチされた時間の長さに応じて前記サムネイル表示モードと前記全画面表示モードとを切り替える、
請求項６に記載の画像表示装置。
【請求項８】
前記入力部は前記表示部に重ねて配置されたタッチパネルを含み、
前記制御部は、前記タッチパネルに対するジェスチャ操作に応じて前記サムネイル表示モードと前記全画面表示モードとを切り替える、
請求項１から請求項４のいずれか一項に記載の画像表示装置。
【請求項９】
前記ジェスチャ操作の方向に応じて、前記サムネイル表示モードと前記全画面表示モードとを切り替える、
請求項８に記載の画像表示装置。
【請求項１０】
前記ジェスチャ操作を行う指示体の数に応じて、前記サムネイル表示モードと前記全画面表示モードとを切り替える、
請求項８に記載の画像表示装置。
【請求項１１】
前記ジェスチャ操作の速度に応じて、前記サムネイル表示モードと前記全画面表示モードとを切り替える、
請求項８に記載の画像表示装置。
【請求項１２】
前記ジェスチャ操作はフリック操作である、
請求項８から請求項１１のいずれか一項に記載の画像表示装置。
【発明の詳細な説明】
【技術分野】
【０００１】
本発明は画像表示装置に関し、特に外部記憶部から内部記憶部に画像データを転送して表示する画像表示装置に関する。
【背景技術】
【０００２】
外部記憶装置（例えばＳＤカード（登録商標））の大容量化が進んでおり、それに伴い保存する文書や画像などのデータサイズも増加し続けている。
【０００３】
その中で、ＣＰＵ、内部メモリ等の資産に限りがある画像表示装置などの組込み機器では、大量の文書や画像のデータを、外部記憶装置から内部の記憶部へ全て転送および展開して表示を行うことが、ＣＰＵの性能や内部記憶部の容量の面で困難である。
【０００４】
従来技術では、あらかじめ大・中・小の画像を持っておき、出力する対象（紙、液晶画面等）によって、どの画像を伸縮して表示するか最適なものを選択することで、伸縮時間を短縮する方法が採られていた（特許文献１を参照）。
【先行技術文献】
【特許文献】
【０００５】
【特許文献１】特開２００２−２５９９４２号公報
【発明の概要】
【発明が解決しようとする課題】
【０００６】
従来の画像表示装置は以上のように構成されているので、想定される多種の表示先に応じて画像伸張の時間短縮が行える。
【０００７】
しかし、多数の画像があった場合、起動時に外部メモリから内部メモリへ展開する際に多大な負荷がかかることや、内部メモリの格納サイズにも依存してしまう。また、タッチパネルを搭載する表示組込み機器では、ユーザがどのタイミングで、どのような操作で画像の表示を要求するか、あらかじめ想定することはできないため、選択画像によっては遅延が生じてしまう。
【０００８】
特許文献１では、上記問題について言及していないため、使用者がストレスを感じることなく画像の転送および展開をすることを考えた場合、高性能なＣＰＵが必要になってしまう。また、内部記憶部も容量が大きなものが必要となる。
【０００９】
本発明は以上のような課題を解決するためになされたものであり、外部記憶部から内部記憶部へ画像データを転送して表示する画像表示装置であって、ＣＰＵ、内部記憶部への負担を抑制し、かつ使用者のストレス増大を抑制した画像表示装置の提供を目的とする。
【課題を解決するための手段】
【００１０】
本発明に係る画像表示装置は、表示部と、内部記憶部と、外部記憶部を接続可能なインターフェースと、入力部と、制御部と、を備え、外部記憶部には、少なくとも１つの画像データと、画像データを縮小した少なくとも１つのサムネイル用画像データとが記憶されており、制御部は、入力部への入力に基づいて、外部記憶部から内部記憶部に転送されているサムネイル用画像データを表示部に表示させるサムネイル表示モードと、サムネイル用画像データの縮小前の画像データを外部記憶部から内部記憶部に転送して表示部に表示させる全画面表示モードとを切り替える。
【発明の効果】
【００１１】
本発明に係る画像表示装置によれば、例えば外部記憶部に大量の文書および画像のデータが記憶されている場合でも、画像表示装置が備える内部記憶部の記憶容量に依存せず文章および画像の転送、表示部への表示が可能となる。また、転送および展開時の処理負荷も改善されることが考えられる。
【図面の簡単な説明】
【００１２】
【図１】実施の形態１に係る画像表示装置の機能ブロック図である。
【図２】画像データの一例を示す図である。
【図３】文章データの一例を示す図である。
【図４】実施の形態１に係る画像表示装置の動作を示すフローチャートである。
【図５】実施の形態１に係る画像表示装置の起動時の動作を示すフローチャートである。
【図６】実施の形態１に係る画像表示装置の通常時の動作を示すフローチャートである。
【図７】実施の形態１に係る画像表示装置の表示モード切り替え動作を示すフローチャートである。
【図８】実施の形態１に係る画像表示装置の全画面表示モードにおける表示例を示す図である。
【図９】実施の形態１に係る画像表示装置のサムネイル表示モードにおける表示例を示す図である。
【図１０】実施の形態１に係る画像表示装置のサムネイル表示モードにおけるより具体的な表示例を示す図である。
【図１１】実施の形態２に係る画像表示装置の表示モード切り替え動作を示すフローチャートである。
【図１２】実施の形態２に係る画像表示装置の全画面表示モードにおける表示例を示す図である。
【図１３】実施の形態２に係る画像表示装置のサムネイル表示モードにおける表示例を示す図である。
【図１４】実施の形態３に係る画像表示装置の表示モード切り替え動作を示すフローチャートである。
【図１５】実施の形態３に係る画像表示装置の全画面表示モードにおける表示例を示す図である。
【図１６】実施の形態３に係る画像表示装置のサムネイル表示モードにおける表示例を示す図である。
【図１７】実施の形態４に係る画像表示装置の表示モード切り替え動作を示すフローチャートである。
【図１８】実施の形態４に係る画像表示装置の全画面表示モードにおける表示例を示す図である。
【図１９】実施の形態４に係る画像表示装置のサムネイル表示モードにおける表示例を示す図である。
【図２０】実施の形態５に係る画像表示装置の表示モード切り替え動作を示すフローチャートである。
【図２１】実施の形態５に係る画像表示装置のサムネイル表示モードにおける表示例を示す図である。
【図２２】実施の形態６に係る画像表示装置の表示モード切り替え動作を示すフローチャートである。
【図２３】実施の形態６に係る画像表示装置のサムネイル表示モードにおける表示例を示す図である。
【発明を実施するための形態】
【００１３】
＜実施の形態１＞
＜構成＞
図１は、本実施の形態１における画像表示装置の機能ブロック図である。本実施の形態における画像表示装置は、表示部１２、入力部１０、内部記憶部１３、インターフェース１４および制御部１１を備える。
【００１４】
入力部１０は、表示部１２に重ねて配置されたタッチパネルを含む。タッチパネルは、例えば表示部に表示されたスライドバー、ボタン等がタッチされたことを検知する。内部記憶部１３には、インターフェース１４を介して接続された外部記憶部１５から画像データが転送される。表示部１２は内部記憶部１３に記憶された画像データを表示する。制御部１１は、入力部１０への入力に基づいて、内部記憶部１３、外部記憶部１５、表示部１２の動作を制御する。例えば、制御部１１は、入力部１０への入力に基づいて、表示モード（即ち、全画面表示モードとサムネイル表示モード）を切り替えるとともに、外部記憶部１５から内部記憶部１３に画像データの転送を行う。また、制御部１１は、内部記憶部１３に記憶されている画像データを展開して表示部１２に表示させる。表示モードについては後述する。
【００１５】
制御部１１はＣＰＵである。表示部１２は例えば液晶表示装置である。内部記憶部１３は例えば、ＶＲＡＭ（Ｖｉｄｅｏ  Ｒａｎｄｏｍ  Ａｃｃｅｓｓ  Ｍｅｍｏｒｙ）である。外部記憶部１５は例えばＳＤカード（登録商標）であり、この場合、インターフェース１４にはＳＤカードが接続可能とする。
【００１６】
外部記憶部１５には、図２に示すような画像データが予め複数記憶されているとする。また、外部記憶部１５には、図３に示すような文章データが複数記憶されていてもよい。さらに、外部記憶部１５には、外部記憶部１５に記憶されている画像データおよび文章データのそれぞれを縮小したデータ（これをサムネイル用画像データと呼ぶ）も併せて予め記憶されているとする。ここで、文章データのサムネイル用画像データとは、文章データに基づく縮小された文章イメージである。以降では、画像データと文章データを区別せず、単に画像データと記載する。また、単に画像データと記載した場合は縮小していない元のサイズのデータであるとする。
【００１７】
＜動作＞
図４は、本実施の形態における画像表示装置の起動時の動作を示すフローチャートである。また、図５は、画像表示装置の起動時の転送処理を示すフローチャートである。また、図６は、画像表示装置の通常時の動作を示すフローチャートである。図７は、画像表示装置の表示モード切り替え動作を示すフローチャートである。
【００１８】
まず、図４および図５を参照して画像表示装置の起動時の動作を説明する。画像表示装置が起動すると、起動時転送処理が行われる（ステップＳ１）。起動時転送処理において、まず、制御部１１は、外部記憶部１５に記憶されているすべてのサムネイル用画像データを、内部記憶部１３に転送する（ステップＳ１１）。次に、制御部１１は、外部記憶部１５に記憶されている画像データを、予め設定されている枚数だけ内部記憶部１３に転送する（ステップＳ１２）。
【００１９】
次に、制御部１１は初期の表示モードが全画面表示モードかサムネイル表示モードかの判断を行う(ステップＳ２）。ここで、全画面表示モードとは、内部記憶部１３に記憶されている画像データを図８に示すように表示部１２に大きく表示する表示モードである。サムネイル表示モードとは、内部記憶部１３に記憶されているサムネイル用画像データを図９に示すように表示部１２に複数並べて表示する表示モードである。なお、図１０はサムネイル表示モードのより具体的な表示例である。
【００２０】
ステップＳ２において全画面表示モードと判断された場合は、図８に示すように、制御部１１は、内部記憶部１３に記憶されている任意の画像データを表示部１２に表示させる（ステップＳ３）。
【００２１】
一方、ステップＳ２においてサムネイル表示モードと判断された場合は、図９に示すように、制御部１１は、内部記憶部１３に記憶されている複数のサムネイル用画像データを表示部１２に表示させる（ステップＳ４）。
【００２２】
次に、図６を参照して画像表示装置の通常時の動作を説明する。制御部１１は、入力部１０に表示モード切り替え操作が入力されると、その操作がサムネイル表示モードから全画面表示モードへの切り替え操作か、全画面表示モードからサムネイル表示モードへの切り替え操作かを判断する（ステップＳ５）。
【００２３】
ステップＳ５において全画面表示モードへの切り替え操作と判断された場合、制御部１１は、選択されたサムネイル用画像データの縮小前の画像データを、外部記憶部１５から内部記憶部１３に転送する（ステップＳ６）。サムネイル用画像データの選択に関しては後述する。そして、制御部１１は、転送した画像データを表示部１２に表示させる（ステップＳ７）。このときの表示部１２の表示例を図８に示す。なお、ステップＳ６において、内部記憶部１３の使用率が低い場合や、内部記憶部１３の容量に比べて画像データ１枚あたりのサイズが比較的小さい場合などは、選択されたサムネイル用画像データの前後に表示されていたサムネイル画像データの元の画像データも同時に転送してもよい。
【００２４】
一方、ステップＳ５においてサムネイル表示モードへの切り替え操作と判断された場合、制御部１１は、内部記憶部１３に記憶されているサムネイル用画像データを表示部１２に表示させる。このときの表示部１２の表示例を図９に示す。
【００２５】
図７を参照して表示モード切り替え操作について説明する。図８および図９に示すように、本実施の形態１では、制御部１１は表示部１２にスライドバー２０を表示させるとする。スライドバー２０は、表示モードの切り替えに利用される。また、サムネイル表示モードにおいて、使用者はスライドバー２０をタッチすることにより複数のサムネイル画像をスライドさせて順に表示させることができる。
【００２６】
図７のフローチャートにおいて、まず、制御部１１はスライドバー２０がタッチされたか否かを判断する（ステップＳ２１）。スライドバー２０がタッチされたと判断された場合、制御部１１は、全画面表示モードからサムネイル表示モードへ切り替えるとともに（ステップＳ２２）、図６におけるステップＳ８の処理を行う。
【００２７】
一方、ステップＳ２１においてスライドバー２０がタッチされたと判断されなかった場合、制御部１１は、現在、サムネイル表示モードの場合は全画面表示モードへ切り替えるとともに（ステップＳ２３）、図６におけるステップＳ６，Ｓ７の処理を行う。また、制御部１１は、現在、全画面表示モードの場合はその表示モードを維持する。
【００２８】
なお、制御部１１は、サムネイル表示モードから全画面表示モードへ表示モードが切り替わったときに表示部１２の中央に表示されていたサムネイル画像を、選択されたサムネイル画像とする。
【００２９】
＜効果＞
本実施の形態１における画像表示装置は、表示部１２と、内部記憶部１３と、外部記憶部１５を接続可能なインターフェース１４と、入力部１０と、制御部１１と、を備え、外部記憶部１５には、少なくとも１つの画像データと、画像データを縮小した少なくとも１つのサムネイル用画像データとが記憶されており、制御部１１は、入力部１０への入力に基づいて、外部記憶部１５から内部記憶部１３に転送されているサムネイル用画像データを表示部１２に表示させるサムネイル表示モードと、サムネイル用画像データの縮小前の画像データを外部記憶部１５から内部記憶部１３に転送して表示部１２に表示させる全画面表示モードとを切り替える。
【００３０】
従って、外部記憶部１５に画像データおよびサムネイル用画像データ画面を記憶しておき、サムネイル画像が選択されたときに、外部記憶部１５から内部記憶部１３に選択された画像データの転送を行う。この動作により、外部記憶部１５に大量の画像データが格納されている場合でも、一度に転送するデータサイズは小さくてすむ。よって、資産の限られている画像表示装置などの組込み機器において、内部記憶部１３の容量使用率及び転送処理負荷を抑えることができる。さらに、内部記憶部１３の容量使用率及び転送処理負荷を抑えることができるため、使用者の操作時に操作に対する反応が遅くなることを抑制して、使用者が感じるストレスを低減することが可能である。
【００３１】
また、本実施の形態１における画像表示装置において、制御部１１は、サムネイル表示モードにおいて、入力部１０への入力に基づいてサムネイル用画像データが選択されると、サムネイル表示モードを全画面表示モードに切り替えるとともに、選択されたサムネイル用画像データの縮小前の画像データを含む少なくとも１つの画像データを外部記憶部１５から内部記憶部１３に転送して、画像データを表示部１２に表示させる。
【００３２】
従って、サムネイル用画像データが選択されて初めてその元の画像データを外部記憶部１５から内部記憶部１３に転送することで、画像表示装置の内部記憶部１３の容量使用率を低く抑えることが可能となる。
【００３３】
また、本実施の形態１における画像表示装置において、制御部１１は、内部記憶部１３の記憶容量および画像データの大きさに基づいて、外部記憶部１５から内部記憶部１３に一度に転送する画像データの個数を決定する。
【００３４】
従って、画像表示装置の内部記憶部１３の使用率が高い場合は、選択されたサムネイル用画像データの元の画像データ１つのみを転送する。一方、画像データ１個あたりのサイズが比較的小さい場合や、画像表示装置の内部記憶部１３の使用率が低い場合は、選択されたサムネイル用画像データの元の画像データに加えて、選択されたサムネイル用画像データの前後に表示されていたサムネイル用画像データの元の画像データも同時に転送する。これにより、内部記憶部１３の容量や制御部１１の処理能力に応じたより適切な負荷で画像表示装置を動作させることが可能となる。
【００３５】
また、本実施の形態１における画像表示装置において、制御部１１は、入力部１０にサムネイル表示モードを全画面表示モードに切り替える入力があったときに表示部１２の中央に表示されていたサムネイル用画像データを、選択されたサムネイル用画像データとする。
【００３６】
従って、表示部１２（例えば液晶表示画面）の中央に来たサムネイル用画像データが選択されるため、使用者は直感的に所望のサムネイル用画像データを選択することが可能となる。
【００３７】
本実施の形態１における画像表示装置において、入力部１０は表示部１２に重ねて配置されたタッチパネルを含み、制御部１１は表示部１２に、複数のサムネイル用画像データをスライドさせて順に表示させるスライドバー２０を表示させ、制御部１１は、スライドバー２０がタッチされている間はサムネイル表示モードとし、スライドバー２０へのタッチが解除されたときに、サムネイル表示モードから全画面表示モードへ切り替える。
【００３８】
従って、表示部１２にスライドバー２０を表示させ、スライドバー２０へのタッチに応じて表示モードを切り替えることで、使用者は、サムネイル画像を選択する動作と、表示モードを切り替える動作を同時に行うことが可能となる。
【００３９】
＜実施の形態２＞
図１１は、本実施の形態２における画像表示装置の表示モード切り替え動作を示すフローチャートである。また、図１２、１３は、本実施の形態２における全画面表示モードとサムネイル表示モードの表示例を示す図である。
【００４０】
実施の形態１では、表示モードの切り替え操作はスライドバー２０を用いた。本実施の形態では、ボタンを設けて操作することで表示モードを切り替える。本実施の形態２における画像表示装置の機能ブロック図は図１と同じため、説明を省略する。
【００４１】
制御部１１は、表示部１２に表示されているボタンがクリックされたか否かを判断する（図１１のステップＳ３１）。ここで、ボタンとは、全画面表示モードにおいてはサムネイル表示ボタン３０ａ（図１２）であり、サムネイル表示モードにおいては全画面表示ボタン３０ｂ（図１３）である。ボタンがクリックされると、制御部１１は表示モードを切り替える（ステップＳ３２）。
【００４２】
具体的には、クリックされたボタンがサムネイル表示ボタン３０ａである場合は、制御部１１は全画面表示モードからサムネイル表示モードへ切り替えるとともに、実施の形態１と同様、図６におけるステップＳ８の処理を行う。クリックされたボタンが全画面表示ボタン３０ｂである場合は、制御部１１はサムネイル表示モードから全画面表示モードへ切り替えるとともに、実施の形態１と同様、図６におけるステップＳ６，Ｓ７の処理を行う。
【００４３】
＜効果＞
本実施の形態２における画像表示装置において、入力部１０は表示部１２に重ねて配置されたタッチパネルを含み、制御部１１は表示部１２にボタン（即ち、サムネイル表示ボタン３０ａもしくは全画面表示ボタン３０ｂ）を表示させ、制御部１１はボタンへのタッチに応じてサムネイル表示モードと全画面表示モードとを切り替える。
【００４４】
従って、表示モードを切り替えるための専用のボタンを表示部１２に表示させることで、使用者にとって理解しやすいユーザインターフェースを提供することが可能となる。
【００４５】
＜実施の形態３＞
図１４は、本実施の形態３における画像表示装置の表示モード切り替え動作を示すフローチャートである。また、図１５、１６は、本実施の形態３における全画面表示モードとサムネイル表示モードの表示例を示す図である。
【００４６】
実施の形態１では、ボタンのクリックによって表示モードの切り替え操作を行った。本実施の形態では、ボタンの押された時間の長さに応じて表示モードを切り替える。本実施の形態３における画像表示装置の機能ブロック図は図１と同じため、説明を省略する。
【００４７】
制御部１１は、表示部１２に表示されているボタン４０が長押しされたか否かを判断する（図１４のステップＳ４１）。ここで、ボタン４０が長押しされるとは、ボタン４０へのタッチが予め設定した時間（例えば１秒）以上持続される動作をいう。
【００４８】
ステップＳ４１においてボタン４０が長押しされたと判断されると、制御部１１は全画面表示モードからサムネイル表示モードへ切り替えるとともに、実施の形態１と同様、図６におけるステップＳ８の処理を行う。
【００４９】
一方、ステップＳ４１においてボタン４０が長押しされたと判断されなかった場合は、制御部１１はサムネイル表示モードから全画面表示モードへ切り替えるとともに、実施の形態１と同様、図６におけるステップＳ６，Ｓ７の処理を行う。
【００５０】
＜効果＞
本実施の形態３における画像表示装置において、制御部１１はボタン４０がタッチされた時間の長さに応じてサムネイル表示モードと全画面表示モードとを切り替える。
【００５１】
従って、ボタン４０に対して、短い時間タッチされた場合と、長い時間タッチされた場合とで動作を異ならせることが可能であるため、１種類のボタンで複数の種類の操作をすることが可能となる。
【００５２】
＜実施の形態４＞
図１７は、本実施の形態４における画像表示装置の表示モード切り替え動作を示すフローチャートである。また、図１８、１９は、本実施の形態４における全画面表示モードとサムネイル表示モードの表示例を示す図である。
【００５３】
実施の形態１から３では、表示部１２に操作対象（スライドバー、ボタン）を表示して表示モードの切り替え操作に用いた。本実施の形態４では、入力部１０に備わるタッチパネルに対するジェスチャ操作に応じて表示モードを切り替える。本実施の形態４における画像表示装置の機能ブロック図は図１と同じため、説明を省略する。
【００５４】
本実施の形態４におけるタッチパネルに対するジェスチャ操作とは、フリック操作である。フリック操作とは、タッチパネルに対して、指などの指示体でタッチし、ある方向に素早く動かしたり弾いたりする操作をいう。
【００５５】
制御部１１は、タッチパネルに対してフリック操作が行われると、そのフリック操作の方向が画面に対して垂直方向であるか否かを判断する（ステップＳ５１）。なお、ここでいう垂直方向とは完全な垂直方向だけでなく、例えば、完全な垂直方向から±３０°の誤差も含むものとする。
【００５６】
ステップＳ５１においてフリック操作の方向が垂直方向と判断された場合、制御部１１は、全画面表示モードからサムネイル表示モードに切り替えるとともに（ステップＳ５２）、実施の形態１と同様、図６におけるステップＳ８の処理を行う。図１９に示すように、サムネイル表示モードでは垂直方向のフリック操作のスライド量に応じてサムネイル画像をスライドさせて順に表示させる。
【００５７】
一方、ステップＳ５１においてフリック操作の方向が垂直方向でないと判断された場合、制御部１１は、サムネイル表示モードから全画面表示モードに切り替えるとともに、実施の形態１と同様、図６におけるステップＳ６，Ｓ７の処理を行う。図１８に示すように、全画面表示モードでは水平方向のフリック操作により一枚ずつ画像データを表示させる。
【００５８】
＜効果＞
本実施の形態４における画像表示装置において、入力部１０は表示部１２に重ねて配置されたタッチパネルを含み、制御部１１は、タッチパネルに対するジェスチャ操作に応じてサムネイル表示モードと全画面表示モードとを切り替える。
【００５９】
従って、本実施の形態４ではジェスチャ操作に応じて表示モードを切り替えるため、表示部１２に表示モードを切り替えるためのボタン等を表示させる必要がなくなる。これにより、画像データを表示するための領域をより広く確保することが可能である。
【００６０】
また、本実施の形態４における画像表示装置において、ジェスチャ操作の方向に応じて、サムネイル表示モードと全画面表示モードとを切り替える。
【００６１】
従って、本実施の形態４ではジェスチャ操作（特にフリック操作）の方向に応じて表示モードを切り替えるため、使用者は直感的に表示モードの切り替え操作が可能である。
【００６２】
また、本実施の形態４における画像表示装置において、ジェスチャ操作はフリック操作である。
【００６３】
従って、フリック操作はタッチパネルの操作として広く用いられている操作であるため、使用者は容易に操作を行うことが可能である。
【００６４】
＜実施の形態５＞
図２０は、本実施の形態５における画像表示装置の表示モード切り替え動作を示すフローチャートである。また、図２１は、本実施の形態５におけるサムネイル表示モードの表示例を示す図である。
【００６５】
実施の形態４では、タッチパネルに対するフリック操作の方向に応じて表示モードの切り替えを行った。本実施の形態５では、フリック操作が行われる際の指示体の個数（例えばタッチする指の本数）に応じて表示モードの切り替えを行う。本実施の形態５における画像表示装置の機能ブロック図は図１と同じため、説明を省略する。
【００６６】
制御部１１は、タッチパネルに対してフリック操作が行われると、そのフリック操作の指示体の個数が２個であるか否か（即ち、フリック操作が２本指でされたか否か）を判断する（ステップＳ６１）。
【００６７】
ステップＳ６１においてフリック操作が２本指でされたと判断された場合、制御部１１は、全画面表示モードからサムネイル表示モードに切り替えるとともに（ステップＳ６２）、実施の形態１と同様、図６におけるステップＳ８の処理を行う。図２１に示すように、サムネイル表示モードでは２本指のフリック操作のスライド量に応じてサムネイル画像をスライドさせて順に表示させる。
【００６８】
一方、ステップＳ６１においてフリック操作が２本指でされなかったと判断された場合、制御部１１は、サムネイル表示モードから全画面表示モードに切り替えるとともに、実施の形態１と同様、図６におけるステップＳ６，Ｓ７の処理を行う。図１８に示すように、全画面表示モードでは１本指のフリック操作により一枚ずつ画像データを表示させる。
【００６９】
＜効果＞
本実施の形態５における画像表示装置において、ジェスチャ操作を行う指示体の数に応じて、サムネイル表示モードと全画面表示モードとを切り替える。
【００７０】
従って、本実施の形態５ではジェスチャ操作（特にフリック操作）を行う指示体の数に応じて表示モードを切り替えるため、使用者は直感的に表示モードの切り替え操作が可能である。
【００７１】
＜実施の形態６＞
図２２は、本実施の形態６における画像表示装置の表示モード切り替え動作を示すフローチャートである。また、図２３は、本実施の形態６におけるサムネイル表示モードの表示例を示す図である。
【００７２】
実施の形態４は、タッチパネルに対するフリック操作の方向に応じて表示モードの切り替えを行った。また、実施の形態５では、タッチパネルに対するフリック操作の指示体の個数に応じて表示モードの切り替えを行った。本実施の形態６では、フリック操作の速度に応じて表示モードの切り替えを行う。本実施の形態６における画像表示装置の機能ブロック図は図１と同じため、説明を省略する。
【００７３】
制御部１１は、タッチパネルに対してフリック操作が行われると、そのフリック操作の速度が高速であるか否かを判断する（ステップＳ７１）。ここで、フリック操作の速度が高速であるとは、フリック操作の際の指示体のスライドの速度が予め設定した閾値を上回ることをいう。
【００７４】
ステップＳ７１においてフリック操作が高速でされたと判断された場合、制御部１１は、全画面表示モードからサムネイル表示モードに切り替えるとともに（ステップＳ６２）、実施の形態１と同様、図６におけるステップＳ８の処理を行う。図２３に示すように、サムネイル表示モードでは、高速なフリック操作のスライド量に応じてサムネイル画像をスライドさせて順に表示させる。
【００７５】
一方、ステップＳ７１においてフリック操作が高速でされなかったと判断された場合、制御部１１は、サムネイル表示モードから全画面表示モードに切り替えるとともに、実施の形態１と同様、図６におけるステップＳ６，Ｓ７の処理を行う。図１８に示すように、全画面表示モードでは高速でないフリック操作により一枚ずつ画像データを表示させる。
【００７６】
＜効果＞
本実施の形態６における画像表示装置において、ジェスチャ操作の速度に応じて、サムネイル表示モードと全画面表示モードとを切り替える。
【００７７】
従って、本実施の形態６ではジェスチャ操作（特にフリック操作）の速度に応じて表示モードを切り替えるため、使用者は直感的に表示モードの切り替え操作が可能である。
【００７８】
なお、本発明においては、以上のような表示モードの切り替え操作の実施例が考えられるが、上記実施例にとどまらず、タッチパネルでの操作全般にかかわる。また、タッチパネル以外の、例えば物理ボタンでも表示モードの切り替え操作が可能である。
【００７９】
なお、表示モード切り替え操作のために画面に表示する表示部品は、単体ではなく複数であっても切り替え操作が可能である。また、一度に画面に表示する画像の数に制限はない。
【００８０】
なお、本発明は、その発明の範囲内において、各実施の形態を自由に組み合わせたり、各実施の形態を適宜、変形、省略することが可能である。
【符号の説明】
【００８１】
１０  入力部、１１  制御部、１２  表示部、１３  内部記憶部、１４  インターフェース、１５  外部記憶部、２０  スライドバー、３０ａ  サムネイル表示ボタン、３０ｂ  全画面表示ボタン、４０  ボタン。
【図１】
2016099453.tif 000003
【図２】
2016099453.tif 000004
【図３】
2016099453.tif 000005
【図４】
2016099453.tif 000006
【図５】
2016099453.tif 000007
【図６】
2016099453.tif 000008
【図７】
2016099453.tif 000009
【図８】
2016099453.tif 000010
【図９】
2016099453.tif 000011
【図１０】
2016099453.tif 000012
【図１１】
2016099453.tif 000013
【図１２】
2016099453.tif 000014
【図１３】
2016099453.tif 000015
【図１４】
2016099453.tif 000016
【図１５】
2016099453.tif 000017
【図１６】
2016099453.tif 000018
【図１７】
2016099453.tif 000019
【図１８】
2016099453.tif 000020
【図１９】
2016099453.tif 000021
【図２０】
2016099453.tif 000022
【図２１】
2016099453.tif 000023
【図２２】
2016099453.tif 000024
【図２３】
2016099453.tif 000025